(57)【要約】      （修正有）【課題】包み紙を携帯していることを確実に把握することができる包装容器を提供する。【解決手段】少なくとも下面板２、左右の側面板、上面板４、背面板１４および正面板９を備え、正面板９を開放して内部に収容されたガムを取り出すようにした包装容器１において、下面板４に折り目を介して第１糊代、中仕切板７および第２糊代８が順に連設され、各糊代が左右の側面板にそれぞれ貼着されて上面板４との間に一定の空間をおいて中仕切板７が配設される。また、上面板４の正面板９側端縁近傍には、コ字状の取出口４ｘおよび取出口４ｘが形成されることにより脱落防止フラップ４１が残される。これにより、上面板４と中仕切板７との間に形成された空間に包み紙１００を収容することができるとともに、その上端部を脱落防止フラップ４１に支持して取出口４ｘから露出させることができ、包み紙１００の存在を把握することができる。【選択図】図３
2008230660.tif 000002
【特許請求の範囲】
【請求項１】
少なくとも下面板、左右の側面板、上面板、背面板および正面板を備え、正面板によって開閉自在な正面板側開口部を通して内部に収容されたガムを取り出すようにした包装容器において、下面板に折り目を介して第１糊代、中仕切板および第２糊代が順に連設される一方、上面板の正面板側端縁近傍に略コ字状の取出口および該取出口による脱落防止フラップが形成されてなり、各糊代が左右の側面板にそれぞれ貼着されて上面板との間に一定の空間をおいて中仕切板が配設され、上面板と中仕切板との空間に包み紙が先端部を脱落防止フラップに支持されて収容され、また、収容された包み紙が上面板の取出口を通して取り出されることを特徴とする包装容器。
【請求項２】
前記正面板に係止板が折り目を介して連設される一方、正面板に折り目を介して連設された一対の係止片が係止板に貼着され、また、上面板の正面板側端縁に係止片と係脱自在な被係止片が折り目を介して連設され、正面板によって正面板側開口部を閉鎖するとき、係止板が取出口を覆うとともに、係止片が被係止片と係止されて正面板の開き出しが規制されることを特徴とする請求項１記載の包装容器。
【請求項３】
少なくとも下面板、左右の側面板、上面板、背面板および正面板を備え、正面板によって開閉自在な正面板側開口部を通して内部に収容されたガムを取り出すようにした包装容器において、下面板に折り目を介して第１糊代、中仕切板および第２糊代が順に連設される一方、上面板の正面板側端縁部に台形状の取出切欠が形成されてなり、各糊代が左右の側面板にそれぞれ貼着されて上面板との間に一定の空間をおいて中仕切板が配設され、上面板と中仕切板との空間に包み紙が先端部を取出切欠から露出して収容され、また、収容された包み紙が上面板の取出切欠を通して取り出されることを特徴とする包装容器。
【請求項４】
前記正面板に係止板が折り目を介して連設される一方、正面板に折り目を介して連設された一対の係止片が係止板に貼着され、また、中仕切板の正面板側端縁に係止片と係脱自在な被係止片が折り目を介して連設され、正面板によって正面板側開口部を閉鎖するとき、係止板が取出切欠を覆うとともに、係止片が被係止片と係止されて正面板の開き出しが規制されることを特徴とする請求項３記載の包装容器。
【発明の詳細な説明】
【技術分野】
【０００１】
本発明は、包装容器に関するものである。
【背景技術】
【０００２】
従来より、下面板、左右の側面板、上面板、背面板および正面板を備え、内部にタブレット状のガムを収容してなる包装容器が知られている。このような包装容器においては、必要に応じて正面板を開放操作し、内部に収容されたガムを正面板側開口部を通して取り出すようにしている。
【０００３】
ところで、包装容器にガムを収容する際、ガムを個別に包装することなく収容する場合がある。このため、ガムの噛みかすを廃棄する場合、ガムの包装紙が存在しないため、手持ちのティッシュペーパーを取り出して包み込む必要があり、取り扱いが煩雑であるという欠点があった。また、ガムの噛みかすが路上にポイ捨てされると、周囲の美観を損ねて見苦しいばかりでなく、路面に付着したガムの噛みかすを除去するため、多くの時間と費用を必要とするものとなる。
【０００４】
このため、出願人は、包装容器にガムの包み紙を収容するための空間を形成し、その空間に包み紙を予め収容しておき、ガムの噛みかすを廃棄する際に、包装容器に収容された包み紙を取り出し、ガムの噛みかすを包み紙にて包み込んで廃棄することを提案している（例えば、特許文献１参照）。
【特許文献１】特開２００６−２１８２１号公報
【発明の開示】
【発明が解決しようとする課題】
【０００５】
ところで、前述した包装容器においては、ガムの包み紙は、下面板と、該下面板に近接して配設された内面板とによって形成された空間に収容されている。したがって、購入したガムを取り出すため、正面板を開放操作した場合、収容されたガムが包み紙の上に積み重なって覆っており、予め包み紙が収容されている事実を把握することができないものであった。このため、購入当初は包み紙が収容されていることを把握することができないことから、ガムの噛みかすをティッシュペーパーに包み込んで廃棄するという煩わしい作業が必要になっていた。また、ときには、ガムの噛みかすが路上にポイ捨てされることも発生していた。
【０００６】
本発明は、このような問題点に鑑みてなされたもので、包装容器にガムの包み紙を携帯していることを確実に把握することのできる包装容器を提供するものである。
【課題を解決するための手段】
【０００７】
本発明は、少なくとも下面板、左右の側面板、上面板、背面板および正面板を備え、正面板によって開閉自在な正面板側開口部を通して内部に収容されたガムを取り出すようにした包装容器において、下面板に折り目を介して第１糊代、中仕切板および第２糊代が順に連設される一方、上面板の正面板側端縁近傍に略コ字状の取出口および該取出口による脱落防止フラップが形成されてなり、各糊代が左右の側面板にそれぞれ貼着されて上面板との間に一定の空間をおいて中仕切板が配設され、上面板と中仕切板との空間に包み紙が先端部を脱落防止フラップに支持されて収容され、また、収容された包み紙が上面板の取出口を通して取り出されることを特徴とするものである。
【０００８】
本発明によれば、コートボールを展開図にしたがって打ち抜いた後、折り目に沿って折り込むこととともに、所定部分を貼着して包装容器が組み立てられる。この際、第１糊代および第２糊代がそれぞれ左側面板および右側面板に貼着されると、第１糊代および第２糊代の高さが左右の側面板の高さよりも小さく設定されているため、中仕切板が上面板との間に左右の側面板の高さと第１糊代、第２糊代の高さとの差に相当する間隔をおいて配設される。
【０００９】
この結果、上面板と中仕切板との空間に、上面板の取出口を通して上端部が脱落防止フラップに支持されて露出した状態でガムの包み紙を収容して携帯することができることから、包装容器に包み紙を携帯していることを確実に把握することができるとともに、包み紙を取出口を通して簡単に取り出すことができ、ティッシュペーパーなどを取り出す煩わしさを解消してガムの噛みかすを包み紙によって包み込んで廃棄することができる。したがって、ガムの噛みかすの廃棄時に包み紙の存在を意識することができ、ガムの噛みかすが路上にポイ捨てされることを防止することができる。
【００１０】
本発明において、前記正面板に係止板が折り目を介して連設される一方、正面板に折り目を介して連設された一対の係止片が係止板に貼着され、また、上面板の正面板側端縁に係止片と係脱自在な被係止片が折り目を介して連設され、正面板によって正面板側開口部を閉鎖するとき、係止板が取出口を覆うとともに、係止片が被係止片と係止されて正面板の開き出しが規制されることが好ましい。
【００１１】
これにより、係止板に貼着された係止片が被係止片と係止されるときには、係止板に連設された正面板の意図しない開き出しが規制されることから、ガムの脱落を防止できる他、脱落防止フラップに支持されて取出口を通して露出している包み紙の上端部を係止板によって汚れないように覆うことができる。
【００１２】
また、本発明は、少なくとも下面板、左右の側面板、上面板、背面板および正面板を備え、正面板によって開閉自在な正面板側開口部を通して内部に収容されたガムを取り出すようにした包装容器において、下面板に折り目を介して第１糊代、中仕切板および第２糊代が順に連設される一方、上面板の正面板側端縁部に台形状の取出切欠が形成されてなり、各糊代が左右の側面板にそれぞれ貼着されて上面板との間に一定の空間をおいて中仕切板が配設され、上面板と中仕切板との空間に包み紙が先端部を取出切欠から露出して収納され、また、収納された包み紙が上面板の取出切欠を通して取り出されることを特徴とするものである。
【００１３】
本発明によれば、コートボールを展開図にしたがって打ち抜いた後、折り目に沿って折り込むこととともに、所定部分を貼着して包装容器が組み立てられる。この際、第１糊代および第２糊代がそれぞれ左側面板および右側面板に貼着されると、第１糊代および第２糊代の高さが左右の側面板の高さよりも小さく設定されているため、中仕切板が上面板との間に左右の側面板の高さと第１糊代、第２糊代の高さとの差に相当する間隔をおいて配設される。
【００１４】
この結果、上面板と中仕切板との空間に、上面板の取出切欠を通して上端部が露出した状態でガムの包み紙を収容して携帯することができることから、包装容器に包み紙を携帯していることを確実に把握することができるとともに、包み紙を取出切欠を通して簡単に取り出すことができ、ティッシュペーパーなどを取り出す煩わしさを解消してガムの噛みかすを包み紙によって包み込んで廃棄することができる。したがって、ガムの噛みかすの廃棄時に包み紙の存在を意識することができ、ガムの噛みかすが路上にポイ捨てされることを防止することができる。
【００１５】
本発明において、前記正面板に係止板が折り目を介して連設される一方、正面板に折り目を介して連設された一対の係止片が係止板に貼着され、また、中仕切板の正面板側端縁に係止片と係脱自在な被係止片が折り目を介して連設され、正面板によって正面板側開口部を閉鎖するとき、係止板が取出切欠を覆うとともに、係止片が被係止片と係止されて正面板の開き出しが規制されることが好ましい。
【００１６】
これにより、係止板に貼着された係止片が被係止片と係止されるときには、係止板に連設された正面板の意図しない開き出しが規制されることから、ガムの脱落を防止できる他、取出切欠を通して露出している包み紙の上端部を係止板によって汚れないように覆うことができる。
【発明の効果】
【００１７】
本発明によれば、包装容器にガムの包み紙を携帯していることを確実に把握することができ、収容された包み紙によってガムの噛みかすを包み込んで廃棄することが可能となる。
【発明を実施するための最良の形態】
【００１８】
以下、本発明の実施の形態を図面に基づいて説明する。
【００１９】
図１乃至図３には、本発明の包装容器１の一実施形態が示されている。
【００２０】
この包装容器１は、タブレット状のガムを収容するものであり、コートボールを図４に示す展開図にしたがって打ち抜いた後、折り目に沿って折り込むこととともに、所定部分を貼着して組み立てられる。そして、包装容器１にガムを収容して適宜包装した後、出荷される。
【００２１】
この包装容器１は、図４の展開図において、下面板２の右端縁に、右側面板３、上面板４および左側面板５が折り目ａ，ｂ，ｃを介して順に連設されるとともに、下面板２の左端縁に、第１糊代６、中仕切板７および第２糊代８が折り目ｄ，ｅ，ｆを介して順に連設される一方、下面板２の上端縁に正面板９および係止板１０が折り目ｇ，ｈを介して順に連設されるとともに、下面板２の下端縁に糊代１１が折り目ｉを介して連設され、また、右側面板３および左側面板５の各下端縁にそれぞれフラップ１２が折り目ｊを介して連設され、さらに、上面板４の上端縁に被係止片１３が折り目ｋを介して連設されるとともに、上面板４の下端縁に背面板１４が折り目ｍを介して連設され、さらにまた、正面板９の左右各端縁にそれぞれ係止片１５が折り目ｎを介して連設されて構成されている。
【００２２】
そして、係止片１５には、正面板９と係止板１０との折り目ｈに連続して折り目ｐが形成され、また、上面板４の上端縁近傍には、上面板４の幅（折り目ｂ，ｃ間の距離）にわたって略コ字状の取出口４ｘが形成されるとともに、この取出口４ｘが形成されることによって被係止片１３との折り目ｋと平行な折り目ｑを介して脱落防止フラップ４１が残されている。
【００２３】
ここで、第１糊代６の幅（折り目ｄ，ｅ間の距離）は、第２糊代８の幅（折り目ｆおよび第２糊代８の側端縁間の距離）よりも若干大きく、左右の側面板３，５の幅（折り目ａ，ｂ間の距離）よりも若干小さく設定されている。
【００２４】
また、各係止片１５は、折り目ｈおよび折り目ｎとの交点から斜め外方に延びる斜辺と、上端縁から下方に向けて延びる縦辺によって切り欠かれており、係止板１０の左右各側端縁から各係止片１５の上端縁から下方に延びる縦辺までの距離は、被係止片１３の高さ（折り目ｋおよび被係止片１３の上端縁間の距離）に一致している。また、各係止片１５の折り目ｐの距離は、正面板９の高さ（折り目ｇ，ｈ間の距離）に等しく、これらの距離は、左右の側面板３，５の幅（折り目ａ，ｂ間の距離）よりも若干大きく設定されている。
【００２５】
さらに、上面板４の上端縁から取出口４ｘの下端縁までの距離は、係止板１０の高さ（折り目ｈおよび係止板１０の上端縁間の距離）とほぼ等しく設定されている。
【００２６】
次に、このように構成された包装容器１の組み立て手順について説明する。
【００２７】
まず、図４の展開図にしたがってコートボールを打ち抜くとともに、裏面が上面を向くように反転させた後  第２糊代８を中仕切板７に対して折り目ｆに沿って谷折りし、その表面に接着剤を塗布した後（図５参照）、第１糊代６を中仕切板７および第２糊代８とともに下面板２に対して折り目ｄに沿って谷折りし、第２糊代８を右側面板３の裏面に貼着する（図６参照）。
【００２８】
次いで、第１糊代６の表面に接着剤を塗布した後、上面板４を左側面板５とともに右側面板３に対して折り目ｂに沿って谷折りすれば、左側面板５の裏面が第１糊代６の表面に貼着される（図７参照）。
【００２９】
この後、右側面板３を下面板２に対して折り目ａに沿って起立させることにより、長手方向の両端が開口された包装容器１が形成される。
【００３０】
次いで、包み紙１００（図２および図３参照）を脱落防止フラップ４１に沿わせつつ上面板４に形成された取出口４ｘを通して上面板４と中仕切板７との間に形成された空間に差し込んで収容する。この場合、包み紙１００の長さは、上面板４の下端縁から取出口４ｘの下端縁までの長さよりも大きく、上面板４の上端縁と下端縁間の距離よりも小さく設定されている。つまり、上面板４に形成された取出口４ｘを通して上面板４と中仕切板７との間に形成された空間に差し込まれた包み紙１００は、その上端部が脱落防止フラップ４１に支持されて取出口４ｘから露出している。
【００３１】
包み紙１００が挿入されたならば、被係止片１３を上面板４に対して折り目ｋに沿って谷折りする一方、各係止片１５を折り目ｐに沿ってそれぞれ谷折りするとともに、折り目ｎに沿ってそれぞれ谷折りし、さらに、正面板９を下面板２に対して折り目ｇに沿って谷折りする。この場合、図８に示すように、各係止片１５の切り欠かれた鉛直な縦辺（内端縁）が被係止片１３の先端縁に略当接する状態で、各係止片１５の折り目ｐよりも上方の上半部が上面板４に支持された包み紙１００上に載置される。この後、包み紙１００上に載置された係止片１５の折り目ｐよりも上方の上半部の表面に接着剤を塗布し、係止板１０を正面板９に対して折り目ｈに沿って谷折りし、各係止片１５の上半部に係止板１０の裏面を貼着する。この際、各係止片１５は、包み紙１００に支持されるため、各係止片１５が撓むことがなく、係止板１０を各係止片１５に確実に貼着することができる。
【００３２】
その後、正面板９が下方に位置するように倒立させ、背面板１４側開口部を通して設定個数のガムを供給した後、各フラップ１２を左右の側面板３，５に対して折り目ｊに沿って谷折りするとともに、糊代１１を下面板２に対して折り目ｉに沿って谷折りする。さらに、糊代１１の表面に接着剤を塗布して、背面板１４を上面板４に対して折り目ｍに沿って谷折りすれば、内部にガムが収容された包装容器１が形成される。この後、詳細には図示しないが、包装容器１はフィルムで包装されて、出荷される。
【００３３】
一方、店頭にてガムを購入した消費者はフィルムを剥離した後、係止板１０を引き下げることにより、係止板１０と一体の正面板９を回動させて、正面板９側開口部を開放させることができ、正面板９側開口部を通してガムを取り出すことができる。
【００３４】
すなわち、包装容器１の正面板９側開口部が正面板９によって閉鎖されている状態においては、係止板１０の内面に貼着された各係止片１５の内端縁が被係止片１３の先端に係止されており、係止板１０、すなわち、係止板１０に連設された正面板９の意図しない開き出しが規制されている。一方、係止板１０を引き下げることにより、その内面に貼着された係止片１５の内端縁が被係止片１３の先端に係止して、被係止片１３を立ち上げつつ弾性変形させて乗り越えることができ、係止板１０に連設された正面板９を回動させて、正面板９側開口部を開放させることができる。
【００３５】
ガムを取り出して後、正面板９側開口部を閉鎖する場合は、正面板９を押し上げることにより、正面板９と一体の係止板１０が、該係止板１０の内面に貼着された係止片１５とともに被係止片１３を押し倒して、被係止片１３を乗り越える。このため、被係止片１３の先端に、係止板１０の内面に貼着された係止片１５の内端縁が係止し、係止板１０の開き出しを規制することができる。
【００３６】
ところで、前述したように、係止板１０を引き下げて、正面板９側開口部を開放すれば、上面板４と中仕切板７との空間に収容された包み紙１００は、常に、先端部が脱落防止フラップ４１に支持されて、取出口４ｘから露出されている。これにより、包み紙１００の上端部に指先をあてがって外方に引き出せば、指先との接触摩擦によって包み紙１００を脱落防止フラップ４１に沿って取出口４ｘより外方に引き出すことができる。
【００３７】
この結果、ガムの噛みかすを廃棄する場合は、包装容器１に収容された包み紙１００を意識することができることから、包み紙１００を取り出してガムの噛みかすを包み紙１００にて包み込むことができる。したがって、ガムの噛みかすを包み紙１００によって包み込んで廃棄することができ、これにより、ガムの噛みかすのポイ捨てによって周囲の景観を損ねることもない。
【００３８】
ところで、図９および図１０には、本発明の包装容器１の他の実施形態が示されている。
【００３９】
この包装容器１は、図１１の展開図において、下面板２の左端縁に、左側面板５、上面板４および右側面板３が折り目ａ，ｂ，ｃを介して順に連設されるとともに、下面板２の右端縁に、第１糊代６、中仕切板７および第２糊代８が折り目ｄ，ｅ，ｆを介して順に連設される一方、下面板２の上端縁に正面板９および係止板１０が折り目ｇ，ｈを介して順に連設されるとともに、下面板２の下端縁に糊代１１が折り目ｉを介して連設され、また、右側面板３および左側面板５の各下端縁にそれぞれフラップ１２が折り目ｊを介して連設され、さらに、中仕切板７の上端縁に被係止片１３が折り目ｋを介して連設される一方、上面板４の下端縁に背面板１４が折り目ｍを介して連設され、さらにまた、正面板９の左右各端縁にそれぞれ係止片１５が折り目ｎを介して連設されて構成されている。
【００４０】
そして、係止片１５には、正面板９と係止板１０との折り目ｈに連続して折り目ｐが形成され、また、上面板４の上端縁部には、台形状の取出切欠４ｙが形成されている。
【００４１】
ここで、第１糊代６の幅（折り目ｄ，ｅ間の距離）は、第２糊代８の幅（折り目ｆおよび第２糊代８の側端縁間の距離）よりも若干大きく、左右の側面板３，５の幅（折り目ａ，ｂ間の距離）よりも若干小さく設定されている。
【００４２】
また、各係止片１５は、折り目ｈおよび折り目ｎとの交点から斜め外方に延びる斜辺と、上端縁から下方に向けて延びる縦辺によって切り欠かれており、係止板１０の左右各側端縁から各係止片１５の上端縁から下方に延びる縦辺までの距離は、被係止片１３の高さ（折り目ｋおよび被係止片１３の上端縁間の距離）に一致している。また、各係止片１５の折り目ｐの距離は、正面板９の高さ（折り目ｇ，ｈ間の距離）に等しく、これらの距離は、左右の側面板３，５の幅（折り目ａ，ｂ間の距離）よりも若干大きく設定されている。
【００４３】
さらに、上面板４の上端縁から取出切欠４ｙの下端縁までの距離は、係止板１０の高さ（折り目ｈおよび係止板１０の上端縁間の距離）よりも小さく設定されている。
【００４４】
なお、詳細には図示しないが、この包装容器１を組み立てる場合も、図１１の展開図にしたがってコートボールを打ち抜くとともに、裏面が上面を向くように反転させた後  第２糊代８を中仕切板７に対して折り目ｆに沿って谷折りし、その表面に接着剤を塗布した後、第１糊代６を中仕切板７および第２糊代８とともに下面板２に対して折り目ｄに沿って谷折りし、第２糊代８を左側面板５の裏面に貼着する。次いで、第１糊代６の表面に接着剤を塗布した後、上面板４を右側面板３とともに左側面板５に対して折り目ｂに沿って谷折りすれば、右側面板３の裏面が第１糊代６の表面に貼着される。
【００４５】
この後、右側面板３を下面板２に対して折り目ａに沿って起立させることにより、長手方向の両端が開口された包装容器１が形成される。
【００４６】
次いで、包み紙１００を上面板４に形成された取出切欠４ｙを通して上面板４と中仕切板７との間に形成された空間に差し込んで収容する。この場合、包み紙１００の長さは、上面板４の下端縁から取出切欠４ｙの下端縁までの長さよりも大きく、上面板４の上端縁と下端縁間の距離よりも小さく設定されている。つまり、上面板４に形成された取出切欠４ｙを通して上面板４と中仕切板７との間に形成された空間に収容された包み紙１００は、その上端部が取出切欠４ｙから露出している。
【００４７】
包み紙１００が挿入されたならば、被係止片１３を中仕切板７に対して折り目ｋに沿って谷折りする一方、各係止片１５を折り目ｐに沿ってそれぞれ谷折りするとともに、折り目ｎに沿ってそれぞれ谷折りし、さらに、正面板９を下面板２に対して折り目ｇに沿って谷折りする。この場合、各係止片１５の切り欠かれた鉛直な縦辺（内端縁）が被係止片１３の先端縁に略当接する状態で、各係止片１５の折り目ｐよりも上方の上半部が上面板４に支持された包み紙１００上に載置される。この後、包み紙１００上に載置された係止片１５の折り目ｐよりも上方の上半部の表面に接着剤を塗布し、係止板１０を正面板９に対して折り目ｈに沿って谷折りし、各係止片１５の上半部に係止板１０の裏面を貼着する。この際、各係止片１５は、包み紙１００および上面板４の取出切欠４ｙの側方部分に支持されるため、各係止片１５が撓むことがなく、係止板１０を各係止片１５に確実に貼着することができる。
【００４８】
その後、正面板９が下方に位置するように倒立させ、背面板１４側開口部を通して設定個数のガムを供給した後、各フラップ１２を左右の側面板３，５に対して折り目ｊに沿って谷折りするとともに、糊代１１を下面板２に対して折り目ｉに沿って谷折りする。さらに、糊代１１の表面に接着剤を塗布して、背面板１４を上面板４に対して折り目ｍに沿って谷折りすれば、内部にガムが収容された包装容器１が形成される。この後、詳細には図示しないが、包装容器１はフィルムで包装されて、出荷される。
【００４９】
一方、店頭にてガムを購入した消費者はフィルムを剥離した後、係止板１０を引き下げることにより、係止板１０と一体の正面板９を回動させて、正面板９側開口部を開放させることができ、正面板９側開口部を通してガムを取り出すことができる。
【００５０】
すなわち、包装容器１の正面板９側開口部が正面板９によって閉鎖されている状態においては、係止板１０の内面に貼着された各係止片１５の内端縁が被係止片１３の先端に係止されており、係止板１０、すなわち、係止板１０に連設された正面板９の意図しない開き出しが規制されている。一方、係止板１０を引き下げることにより、その内面に貼着された係止片１５の内端縁が被係止片１３の先端に係止して、被係止片１３を立ち上げつつ弾性変形させて乗り越えることができ、係止板１０に連設された正面板９を回動させて、正面板９側開口部を開放させることができる。
【００５１】
ガムを取り出して後、正面板９側開口部を閉鎖する場合は、正面板９を押し上げることにより、正面板９と一体の係止板１０が、該係止板１０の内面に貼着された係止片１５とともに被係止片１３を押し倒して、被係止片１３を乗り越える。このため、被係止片１３の先端に、係止板１０の内面に貼着された係止片１５の内端縁が係止し、係止板１０の開き出しを規制することができる。
【００５２】
ところで、前述したように、係止板１０を引き下げて正面板９側開口部を開放すれば、上面板４と中仕切板７との空間に収容された包み紙１００は、常に、先端部が取出切欠４ｙから露出されている。これにより、包み紙１００の上端部に指先をあてがって外方に引き出せば、指先との接触摩擦によって包み紙１００を取出切欠４ｙより外方に引き出すことができる。
【００５３】
この結果、ガムの噛みかすを廃棄する場合は、包装容器１に収容された包み紙１００を意識することができることから、包み紙１００を取り出してガムの噛みかすを包み紙１００にて包み込むことができる。したがって、ガムの噛みかすを包み紙１００によって包み込んで廃棄することができ、これにより、ガムの噛みかすのポイ捨てによって周囲の景観を損ねることもない。
【図面の簡単な説明】
【００５４】
【図１】本発明の包装容器の一実施形態を示す斜視図である。
【図２】図１の包装容器の正面板側開口部を開放して示す斜視図である。
【図３】図１の包装容器の長手方向縦断面図である。
【図４】図１の包装容器の展開図である。
【図５】図１の包装容器の組立工程を示す説明図である。
【図６】図１の包装容器の組立工程を示す説明図である。
【図７】図１の包装容器の組立工程を示す説明図である。
【図８】図１の包装容器の組立工程を示す説明図である。
【図９】本発明の包装容器の他の実施形態を正面板側開口部を開放して示す斜視図である。
【図１０】図９の包装容器の長手方向縦断面図である。
【図１１】図９の包装容器の展開図である。
【符号の説明】
【００５５】
１  包装容器
２  下面板
３，５  側面板
４  上面板
４ｘ  取出口
４ｙ  取出切欠
６  第１糊代
７  中仕切板
８  第２糊代
９  正面板
１０  係止板
１３  被係止片
１４  背面板
１５  係止片
ａ，ｂ，ｃ，ｄ，ｅ，ｆ，ｇ，ｈ，ｉ，ｊ，ｋ，ｍ，ｎ，ｐ，ｑ  折り目
１００  包み紙
【図１】
2008230660.tif 000003
【図２】
2008230660.tif 000004
【図３】
2008230660.tif 000005
【図４】
2008230660.tif 000006
【図５】
2008230660.tif 000007
【図６】
2008230660.tif 000008
【図７】
2008230660.tif 000009
【図８】
2008230660.tif 000010
【図９】
2008230660.tif 000011
【図１０】
2008230660.tif 000012
【図１１】
2008230660.tif 000013